(57)【特許請求の範囲】
【請求項１】
取付部材を取付孔が穿設されたパネルに固定する固定クリップであって、上記パネルの取付孔の孔縁に係止する拡開可能な複数の脚片を有するフランジ付のグロメットと、該グロメットの内部に押し込まれてその各脚片を拡開する大径部と各脚片の拡開を解除する小径部と該大径部と該小径部の間に連なるテーパー段部を有するピンと、弾性材料で成形されて上記グロメットを内部に収納する袋状のキャップとから成り、グロメットの各脚片がピンの小径部に係合して上記テーパー段部が各脚片の下側にある時には、ピンの先端部が上記キャップの底部に弾接して、ピンが抜け方向への反力を受けると、上記テーパー段部が各脚片の下端に当接して、ピンをグロメットと一緒に押し上げることを特徴とする固定クリップ。
【請求項２】
取付部材を取付孔が穿設されたパネルに固定する固定クリップであって、上記パネルの取付孔の孔縁に係止する拡開可能な複数の脚片を有するフランジ付のグロメットと、該グロメットの内部に押し込まれてその各脚片を拡開する大径部と各脚片の拡開を解除する小径部と該大径部と該小径部の間に連なるテーパー段部を有するピンと、該ピンの先端部に押上プレートを介して当接するリターンスプリングとから成り、グロメットの各脚片がピンの小径部に係合して上記テーパー段部が各脚片の下側にある時には、ピンの先端部が上記押上プレートに弾接して、ピンがリターンスプリングからの抜け方向への反力を受けると、上記テーパー段部が各脚片の下端に当接して、ピンをグロメットと一緒に押し上げることを特徴とする固定クリップ。
【請求項３】
取付部材を取付孔が穿設されたパネルに固定する固定クリップであって、上記パネルの取付孔の孔縁に係止する拡開可能な複数の脚片を有するフランジ付のグロメットと、該グロメットの内部に押し込まれてその各脚片を拡開する大径部と各脚片の拡開を解除する小径部と該大径部と該小径部の間に連なるテーパー段部を有するピンと、該ピンの先端部に設けられる弾性体とから成り、グロメットの各脚片がピンの小径部に係合して上記テーパー段部が各脚片の下側にある時には、ピンの先端部がその弾性体を別の内部パネルに弾接して、ピンが抜け方向への反力を受けると、上記テーパー段部が各脚片の下端に当接して、ピンをグロメットと一緒に押し上げることを特徴とする固定クリップ。
【発明の詳細な説明】
【０００１】
【発明の属する技術分野】
本発明は、例えば、自動車のドアトリムの如き取付部材を、所定のパネルに固定するために使用される固定クリップの改良に関するものである。
【０００２】
【従来の技術】
従来のこの種固定クリップとして、実開平６−２２６１０号公報に示すものが存する。
該従来の固定クリップは、具体的には図示しないが、グロメットとピンとシールキャップの３部品から成り、第一のグロメットは、筒状本体の上端縁にフランジを形成すると共に、筒状本体の下部側に拡開可能な複数の脚片をスリットを介して形成し、第二のピンは、グロメットの筒状本体内に押し込まれる棒状体を呈し、その外周面の上下方向に下から順に第一小径部・大径部・第二小径部を形成し、第三のシールキャップは、フランジと係止肩を有する筒形袋状を呈して、その内部にグロメットを収納できる構成となっている。
【０００３】
そして、斯かる３部品から成る固定クリップを用いて、ドアトリムの如き取付部材をパネルに固定する場合には、予め、グロメットの内部にピンを押し込んで、ピンの第一小径部に各脚片の内面に突設された内向突起を係合した仮組み付け状態を得て、まず、パネル側に穿設されている取付孔にシールキャップをそのフランジと係止肩を介して装着した後、今度は、当該シールキャップの口部と取付部材側に穿設されている取付孔とを一致させながら、上記ピンを仮組み付けしているグロメットを取付部材の取付孔からシールキャップの内部に収納して、最後に、ピンをグロメットの内部に完全に押し込むと、当該ピンの大径部にグロメットの各脚片の内向突起が係合して、各脚片がシールキャップの内部において外方に拡開するので、これにより、取付部材がパネル側に固定されることとなる。
【０００４】
又、この取付部材をパネルから取り外す必要が生じたような場合には、ピンを更にグロメットの内部に押し込むと、今度は、グロメットの各脚片の内向突起が大径部から外れてその上にある第二小径部に係合して、各脚片の外方への拡開を解除するので、後は、この状態のまま、グロメットのフランジを摘まんで、取付部材の取付孔からピンと一緒に引き抜けば、これにより、取付部材をパネルから取り外すことが可能となる。
【０００５】
【発明が解決しようとする課題】
従って、従来の固定クリップの下では、シールキャップの存在によって、その固定個所での水密性を十分に確保しながら、取付部材をパネル側に固定できる利点を有するが、反面、取付部材をパネルから取り外す場合には、例え、グロメットの各脚片の拡開が解除されていると雖も、グロメットのフランジは取付部材面に密着しているので、これを摘まんで、ピンと一緒に取付部材の取付孔から引き抜くことは容易ではなかった。
【０００６】
【課題を解決するための手段】
本発明は、斯かる従来の固定クリップが抱える課題を有効に解決するために開発されたもので、請求項１記載の発明は、取付部材を取付孔が穿設されたパネルに固定する固定クリップであって、上記パネルの取付孔の孔縁に係止する拡開可能な複数の脚片を有するフランジ付のグロメットと、該グロメットの内部に押し込まれてその各脚片を拡開する大径部と各脚片の拡開を解除する小径部と該大径部と該小径部の間に連なるテーパー段部を有するピンと、弾性材料で成形されて上記グロメットを内部に収納する袋状のキャップとから成り、グロメットの各脚片がピンの小径部に係合して上記テーパー段部が各脚片の下側にある時には、ピンの先端部が上記キャップの底部に弾接して、ピンが抜け方向への反力を受けると、上記テーパー段部が各脚片の下端に当接して、ピンをグロメットと一緒に押し上げる構成を採用した。
【０００７】
請求項２記載の発明は、取付部材を取付孔が穿設されたパネルに固定する固定クリップであって、上記パネルの取付孔の孔縁に係止する拡開可能な複数の脚片を有するフランジ付のグロメットと、該グロメットの内部に押し込まれてその各脚片を拡開する大径部と各脚片の拡開を解除する小径部と該大径部と該小径部の間に連なるテーパー段部を有するピンと、該ピンの先端部に押上プレートを介して当接するリターンスプリングとから成り、グロメットの各脚片がピンの小径部に係合して上記テーパー段部が各脚片の下側にある時には、ピンの先端部が上記押上プレートに弾接して、ピンがリターンスプリングからの抜け方向への反力を受けると、上記テーパー段部が各脚片の下端に当接して、ピンをグロメットと一緒に押し上げる構成を採用した。
【０００８】
請求項３記載の発明は、取付部材を取付孔が穿設されたパネルに固定する固定クリップであって、上記パネルの取付孔の孔縁に係止する拡開可能な複数の脚片を有するフランジ付のグロメットと、該グロメットの内部に押し込まれてその各脚片を拡開する大径部と各脚片の拡開を解除する小径部と該大径部と該小径部の間に連なるテーパー段部を有するピンと、該ピンの先端部に設けられる弾性体とから成り、グロメットの各脚片がピンの小径部に係合して上記テーパー段部が各脚片の下側にある時には、ピンの先端部がその弾性体を別の内部パネルに弾接して、ピンが抜け方向への反力を受けると、上記テーパー段部が各脚片の下端に当接して、ピンをグロメットと一緒に押し上げる構成を採用した。
【００１０】
依って、請求項１記載の発明にあっては、ピンの押し込みに応じて、グロメットの各脚片がピンの小径部に係合して、各脚片の外方への拡開が解除された時には、ピンの先端部がキャップの底部に弾接して、抜け方向への反力を受ける関係で、この反力により、ピンがグロメットと一緒に上方に押し上げられて、グロメット側のフランジが取付部材面から浮き上がるので、後は、この浮き上がったフランジを指で摘まんで引き抜くだけで、取付部材をパネルから容易に取り外すことが可能となる。
【００１１】
請求項２記載の発明にあっては、ピンの押し込みに応じて、グロメットの各脚片がピンの小径部に係合して、各脚片の外方への拡開が解除された時には、ピンの先端部が押上プレートに弾接して、リターンスプリングからの抜け方向への反力を受ける関係で、この反力により、ピンがグロメットと一緒に上方に押し上げられて、グロメット側のフランジが取付部材面から浮き上がるので、後は、この浮き上がったフランジを指で摘まんで引き抜くだけで、取付部材をパネルから容易に取り外すことが可能となる。
【００１２】
請求項３記載の発明にあっては、ピンの押し込みに応じて、グロメットの各脚片がピンの小径部に係合して、各脚片の外方への拡開が解除された時には、ピンの先端部がその弾性体を別の内部パネルに変形しながら弾接して、抜け方向への反力を受ける関係で、この反力により、ピンがグロメットと一緒に上方に押し上げられて、グロメット側のフランジが取付部材面から浮き上がるので、後は、この浮き上がったフランジを指で摘まんで引き抜くだけで、取付部材をパネルから容易に取り外すことが可能となる。
【００１４】
尚、特に、請求項２記載の発明の下で、袋状のキャップの底部を側部よりも厚肉となせば、ピンの先端部が底部に弾接しても容易に破れることはなく、逆に、側部は容易に伸びることが可能となるので、シールキャップとしての必要な剛性と柔軟性が得られることとなる。
【００１５】
【発明の実施の形態】
以下、本発明を図示する各好適な実施の形態に基づいて詳述すれば、第一実施の形態に係る固定クリップも、ドアトリムの如き取付部材を取付孔が穿設されたパネルに固定するクリップとして開発されたもので、その部品点数は、図１に示す如く、従来と同様に、グロメット１とピン１１とシールキャップ２１の３部品から成る。
【００１６】
そして、第一のグロメット１は、合成樹脂で一体成形されて、その筒状本体２の上端縁にフランジ３を形成すると共に、筒状本体２の下部側に拡開可能な複数の脚片４をスリット５を介して形成して、該各脚片４の先端内面に内向突起６を一体に突設し、第二のピン１１は、同様に、合成樹脂で一体成形されて、グロメット１の筒状本体２内に押し込まれる棒状体を呈し、その外周面の上下方向に下から順に第一小径部１２・大径部１３・第二小径部１４を形成し、第三の押し上げ手段たるシールキャップ２１は、弾性に富んだ合成ゴム等で一体成形されて、フランジ２２と係止肩２３を有する筒形袋状を呈して、その内部にグロメット１を収納できる構成となっている。
【００１７】
従って、グロメット１の筒状本体２内にピン１１を押し込んで、各脚片４の内向突起６をピン１１の第一小径部１２に係合すると、グロメット１とピン１１とが仮組み付けられ、更に、ピン１１の頭部１５を完全に押し込むと、今度は、各脚片４の内向突起６が大径部１３に係合して、各脚片４を外方に拡開し、もう一段、ピン１１の頭部１５を筒状本体２内に押し込むと、各脚片４の内向突起６が第二小径部１４に係合して、各脚片４の拡開を解除する訳であるが、第一実施の形態にあっては、斯かる状態において、ピン１１の先端部１６がシールキャップ２１の底部２４に弾接して、抜け方向への反力を受けるように設定してある。
【００１８】
依って、この３部品から成る固定クリップを用いて、ドアトリムの如き取付部材Ｐ１をパネルＰ２に固定する場合には、まず、図２に示す如く、パネルＰ２側に穿設されている取付孔Ｈ２にシールキャップ２１をそのフランジ２２と係止肩２３を介して装着した後、今度は、当該シールキャップ２１の口部と取付部材Ｐ１側に穿設されている取付孔Ｈ１とを一致させながら、ピン１１を予め仮組み付けしているグロメット１を取付部材Ｐ１の取付孔Ｈ１から上記シールキャップ２１の内部に収納して、最後に、ピン１１の頭部１５をグロメット１の筒状本体２の内部に完全に押し込むと、図３に示す如く、当該ピン１１の大径部１３にグロメット１の各脚片４の内向突起６が係合して、各脚片４がシールキャップ２１の内部において外方に拡開するので、これにより、取付部材Ｐ１がパネルＰ２側に固定されることとなる。
【００１９】
又、この取付部材Ｐ１をパネルＰ２から取り外す必要が生じたような場合には、ピン１１の頭部１５を更にグロメット１の筒状本体２内に押し込むと、今度は、グロメット１の各脚片４の内向突起６が大径部１３から外れてその上にある第二小径部１４に係合して、各脚片４の外方への拡開を解除することとなるが、この時点では、図４に示す如く、ピン１１の先端部１６がシールキャップ２１の底部２４に弾接して、抜け方向への反力をシールキャップ２１から受けるので、まずは、ピン１１が単独で上方に押し上げられることとなる。
【００２０】
すると、今度は、第二小径部１４と大径部１３の間に連なるテーパー段部１７が各脚片４の下端に当接することにより、ピン１１はグロメット１と一緒に上方に押し上げられる結果、図５に示す如く、グロメット１のフランジ３が取付部材Ｐ面から浮き上がるので、後は、この浮き上がったフランジ３を指で摘まんで、取付部材Ｐ１の取付孔Ｈ１からピン１１と一緒に引き抜けば、取付部材Ｐ１をパネルＰ２から極めて簡単に取り外すことが可能となる。しかも、ピン１１に対しては押し上げ力が働いているので、グロメット１をピン１１と一緒に引き抜く場合でも、小さな引き抜き力で済む。
【００２１】
尚、シールキャップ２１に関しては、図６に示す如く、シールキャップ２１の底部２４を側部２５よりも厚肉となせば、ピン１１の先端部１６が底部２４に弾接しても容易に破れることはなく、逆に、側部２５は容易に伸びることが可能となるので、シールキャップ２１としての必要な剛性と柔軟性が得られることとなる。
【００２２】
次に、第二実施の形態に係る固定クリップを説明すると、当該第二実施の形態のものは、第一実施の形態における押し上げ手段たるシールキャップ２１に代えて、図７に示す如く、取付部材Ｐ１を固定するパネルＰ２側に有底の収納室３１を一体に成形して、該収納室３１内に押し上げ手段たるリターンスプリング３２と押上プレート３３を収納する一方、ピン１１の第一小径部１２を省略して、大径部１３の先端部１６を上記押上プレート３３に当接させる構成となっている。
【００２３】
依って、この第二実施の形態にあっても、ドアトリムの如き取付部材Ｐ１をパネルＰ２に固定する場合には、第一実施の形態と同様に、ピン１１を予め仮組み付けしているグロメット１を取付部材Ｐ１の取付孔Ｈ１からパネルＰ２の上記収納室３１の内部に収納した状態を得て、ピン１１の頭部１５をグロメット１の筒状本体２の内部に完全に押し込むと、図示する如く、当該ピン１１の大径部１３にグロメット１の各脚片４の内向突起６が係合して、各脚片４が収納室３１の内部において外方に拡開するので、これにより、取付部材Ｐ１がパネルＰ２側に固定されることとなる。尚、この場合には、ピン１１自体は、その大径部１３の先端部１６を押上プレート３３に弾接させて、リターンスプリング３２の反力を受けることとなる。
【００２４】
又、この取付部材Ｐ１をパネルＰ２から取り外す場合には、第一実施の形態と同様に、ピン１１の頭部１５を更にグロメット１の筒状本体２内に押し込むと、グロメット１の各脚片４の内向突起６が大径部１３から外れてその上にある第二小径部１４に係合して、各脚片４の外方への拡開を解除することとなるが、この時点では、図８に示す如く、ピン１１の先端部１６がリターンスプリング３２を押し縮めながら押上プレート３３を降下させることとなるので、ピン１１自体はこの抜け方向への大きな反力を受けて、まずは、ピン１１が単独で上方に押し上げられることとなる。
【００２５】
すると、やはり、第二小径部１４と大径部１３の間に連なるテーパー段部１７が各脚片４の下端に当接することにより、ピン１１はグロメット１と一緒に上方に押し上げられる結果、具体的には図示しないが、第一実施の形態と同様に、グロメット１のフランジ３が取付部材Ｐ１面から浮き上がるので、後は、この浮き上がったフランジ３を指で摘まんで、取付部材Ｐ１の取付孔Ｈ１からピン１１と一緒に引き抜けば、取付部材Ｐ１をパネルＰ２から極めて簡単に取り外すことが可能となる。
【００２６】
最後に、第三実施の形態に係る固定クリップを説明すると、当該第三実施の形態のものは、図９に示す如く、第二実施の形態におけるピン１１の先端部１６に押し上げ手段たるパンタグラフ形を呈する弾性体３４を一体に成形する一方、パネルＰ２自体は、第一実施の形態のものと同様に、取付孔Ｈ２を穿設するだけであるが、当該パネルＰ２の後方に位置する車体内部パネルＰ３に上記弾性体３４を当接する当接台部３５を弾性体３４方向に向かって突出形成する構成となっている。
【００２７】
依って、この第三実施の形態にあっても、ドアトリムの如き取付部材Ｐ１をパネルＰ２に固定する場合には、ピン１１を予め仮組み付けしているグロメット１を取付部材Ｐ１の取付孔Ｈ１からパネルＰ２の取付孔Ｈ２内に完全に押し込むと、図示する如く、当該ピン１１の大径部１３にグロメット１の各脚片４の内向突起６が係合して、各脚片４が外方に拡開するので、これにより、取付部材Ｐ１がパネルＰ２側に固定されることとなる。尚、この場合には、ピン１１に形成された弾性体３４が、その先端を上記車体内部パネルＰ３の当接台部３５と当接することとなる。
【００２８】
又、この取付部材Ｐ１をパネルＰ２から取り外す場合には、ピン１１の頭部１５を更にグロメット１の筒状本体２内に押し込むと、グロメット１の各脚片４の内向突起６が大径部１３から外れてその上にある第二小径部１４に係合して、各脚片４の外方への拡開を解除することとなるが、この時点では、図１０に示す如く、ピン１１の先端部１６に設けられた弾性体３４が変形しながら当接台部３５に弾接することとなるので、ピン１１自体は、この弾性体３４の変形に伴う抜け方向への反力を受けて、まずは、ピン１１が単独で上方に押し上げられることとなる。
【００２９】
すると、同様に、第二小径部１４と大径部１３の間に連なるテーパー段部１７が各脚片４の下端に当接することにより、ピン１１はグロメット１と一緒に上方に押し上げられる結果、具体的には図示しないが、第一実施の形態と同様に、グロメット１のフランジ３が取付部材Ｐ１面から浮き上がるので、後は、この浮き上がったフランジ３を指で摘まんで、取付部材Ｐ１の取付孔Ｈ１からピン１１と一緒に引き抜けば、取付部材Ｐ１をパネルＰ２から極めて簡単に取り外すことが可能となる。
【００３０】
【発明の効果】
以上の如く、本発明は、上記構成の採用により、いずれのものにあっても、ピンの押し込みに応じて、グロメットの各脚片がピンの小径部に係合して、各脚片の外方への拡開が解除された時には、ピンの先端部が抜け方向への反力を受ける関係で、この反力により、ピンがグロメットと一緒に上方に押し上げられて、グロメット側のフランジが取付部材面から浮き上がるので、後は、この浮き上がったフランジを指で摘まんで引き抜くだけで、取付部材をパネルから容易に取り外すことが可能となる。
【図面の簡単な説明】
【図１】本発明の第一実施の形態に係る固定クリップを示す分解斜視図である。
【図２】ピンを仮組み付けしたグロメットをシールキャップの内部に収納した状態を示す断面図である。
【図３】取付部材をパネルに固定した状態を示す断面図である。
【図４】グロメットの脚片の拡開を解除した状態を示す断面図である。
【図５】グロメットのフランジが浮き上がった状態を示す断面図である。
【図６】シールキャップの他例を示す断面図である。
【図７】第二実施の形態に係る固定クリップを取付部材をパネルに固定した状態をもって示す断面図である。
【図８】グロメットの脚片の拡開を解除した状態を示す断面図である。
【図９】第三実施の形態に係る固定クリップを取付部材をパネルに固定した状態をもって示す断面図である。
【図１０】グロメットの脚片の拡開を解除した状態を示す断面図である。
【符号の説明】
１    グロメット
２    筒状本体
３    フランジ
４    脚片
５    スリット
６    内向突起
１１  ピン
１２  第一小径部
１３  大径部
１４  第二小径部
１５  頭部
１６  先端部
１７  テーパー段部
２１  シールキャップ（押し上げ手段）
２２  フランジ
２３  係止肩
２４  底部
２５  側部
３１  収納室
３２  リターンスプリング（押し上げ手段）
３３  押上プレート
３４  弾性体（押し上げ手段）
３５  当接台部
Ｐ１  取付部材
Ｈ１  取付部材の取付孔
Ｐ２  パネル
Ｈ２  パネルの取付孔
Ｐ３  車体内部パネル
【図１】
0003813429.tif 000002
【図２】
0003813429.tif 000003
【図３】
0003813429.tif 000004
【図４】
0003813429.tif 000005
【図５】
0003813429.tif 000006
【図６】
0003813429.tif 000007
【図７】
0003813429.tif 000008
【図８】
0003813429.tif 000009
【図９】
0003813429.tif 000010
【図１０】
0003813429.tif 000011